(57)【要約】【課題】カップから蓋を脱着することなく、簡単かつ容易に、しかも何回も繰り返し飲み口を開閉する。蓋を薄くしながら断熱特性を向上して、蓋が加熱されるのを防止する。【解決手段】蓋付きカップは、円形のカップ１の開口部１Ａに脱着自在に蓋２を連結している。蓋２は、第１の蓋１０の外側に第２の蓋２０を積層している。第１の蓋１０は、飲み口１４を開口してなる閉塞プレート部１１の外周部に脱着係止部１２を連結して、脱着係止部１２を補強リング１Ｂに脱着自在に連結している。第２の蓋２０は、閉塞プレート部１１の飲み口１４を開閉する開閉口２４を開口してなる開閉プレート部２１の外周部に回転係止部２２を連結して、回転係止部２２を第１の蓋１０の脱着係止部１２に回転自在に連結している。蓋付きカップは、第２の蓋２０を第１の蓋１０に対して回転して、閉塞プレート部１１に設けている飲み口１４を開閉プレート部２１で開閉する。【選択図】図４
2008222269.tif 000002
【特許請求の範囲】
【請求項１】
上端を開口している円形のカップ(1)と、このカップ(1)の開口部(1A)を閉塞する蓋(2)とを備える蓋付きカップであって、
カップ(1)が開口部(1A)の周縁に沿って外側に突出する補強リング(1B)を備え、このカップ(1)の補強リング(1B)に脱着自在に蓋(2)を連結しており、かつ蓋(2)を第１の蓋(10)と第２の蓋(20)の二層の積層構造としており、
第１の蓋(10)は、カップ(1)の収納液の飲み口(14)を開口してなる円形の閉塞プレート部(11)と、この閉塞プレート部(11)の外周部に連結してなるリング状の脱着係止部(12)と、閉塞プレート部(11)と脱着係止部(12)との間に設けた円筒内周壁(13)とを有し、脱着係止部(12)は、カップ(1)の補強リング(1B)の外周面に沿う形状であって、開口端側の内径を補強リング(1B)の最大外径よりも小さくして、カップ(1)の補強リング(1B)に脱着自在に連結され、
第２の蓋(20)は、第１の蓋(10)の閉塞プレート部(11)の外側に積層されて閉塞プレート部(11)の飲み口(14)を開閉する開閉口(24)を開口してなる円形の開閉プレート部(21)と、この開閉プレート部(21)の外周部に連結してなるリング状の回転係止部(22)と、開閉プレート部(21)と回転係止部(22)との間に設けた円筒外周壁(23)とを有し、回転係止部(22)は、第１の蓋(10)の脱着係止部(12)の外周面に沿う形状であって、開口端側の内径を脱着係止部(12)の最大外径よりも小さくして、第１の蓋(10)の脱着係止部(12)に回転自在に連結され、さらに、円筒外周壁(23)は、第１の蓋(10)の円筒内周壁(13)の外側をカバーして二層構造の周壁としており、
第２の蓋(20)を第１の蓋(10)に対して回転して、第１の蓋(10)の閉塞プレート部(11)に設けている飲み口(14)を第２の蓋(20)の開閉プレート部(21)で開閉するようにしてなる蓋付きカップ。
【請求項２】
第１の蓋(10)の円筒内周壁(13)と第２の蓋(20)の円筒外周壁(23)との間に隙間(3)を設けている請求項１に記載される蓋付きカップ。
【請求項３】
第１の蓋(10)の円筒内周壁(13)と第２の蓋(20)の円筒外周壁(23)とにラチェット凹凸を設けている請求項１に記載される蓋付きカップ。  
【請求項４】
第２の蓋(20)の開閉プレート部(21)に大きさが異なる複数の開閉口(24)を設けている請求項１に記載される蓋付きカップ。
【発明の詳細な説明】
【技術分野】
【０００１】
本発明は、蓋付きカップに関し、とくに蓋を回転して開閉できるカップに関する。
【背景技術】
【０００２】
蓋付きカップは、コーヒーなどを入れて、飲まないときに蓋をして、こぼれないようにできる。このため車などで移動するときに便利に使用できる。このことから、たとえばドライブスルーのレストラン等で使用される。この用途に多用されるカップは、蓋を脱着できるようにカップの開口部に連結している。このカップは、コーヒーを飲むときに蓋を取り、飲まないときにカップに蓋を連結して開口部を閉塞する。このカップは、蓋を脱着して開閉するので、開閉に手間がかかる。また、蓋を脱着するときにカップが動いてコーヒーなどがこぼれやすい欠点がある。
【０００３】
この欠点を解消するカップとして、蓋の表面に剥離可能なフイルムを付着するカップが開発されている。（特許文献１参照）
【特許文献１】実開平６−５５４７２号公報
【発明の開示】
【発明が解決しようとする課題】
【０００４】
このカップは、フィルムを剥離して、蓋の飲み口を開口する。この構造によると、従来の蓋をカップの開口部に脱着するものに比較して、簡単に飲み口を開閉できる。ただ、一度剥離したフィルムは、再び蓋にしっかりと付着できない欠点がある。とくに、飲み口の近傍にコーヒーなどが付着して漏れないように再付着できなくなる。このため、繰り返し飲み口を開閉してコーヒー等が漏れないようにできない欠点がある。
【０００５】
さらに、特許文献１に記載されるカップは、蓋をする状態でコーヒー等を入れて飲むので、蓋がコーヒー等で熱くなる欠点がある。カップにコーヒー等を入れて飲むとき、唇を蓋に接触させる。この状態でカップを傾けてコーヒー等を飲み口から流出させる。蓋に唇を接触させない状態で飲むと、カップから流出されるコーヒー等か口からはみ出すことがある。カップと口との相対位置がずれるからである。このため、カップを使用するときには、唇に接触させない状態で飲むことはない。唇に接触させる蓋が熱くなると、唇が熱くなって快適にコーヒー等を飲むことはできない。カップは、形状が簡単であるから、断熱特性に優れた紙で製作される。ところが、蓋は複雑な凹凸形状に成形する必要があるので、プラスチックシートを真空成形して製作される。さらに、この種のカップは、使用後に廃棄される使い捨てカップであるから、製造コストを安くする必要がある。このため蓋は薄いプラスチックシートで製作される。薄いプラスチックシートは断熱特性が悪く、飲むときに内部のコーヒー等で加熱される欠点がある。
【０００６】
本発明は、このような欠点を解決することを目的に開発されたものである。本発明の重要な目的は、カップから蓋を脱着することなく簡単かつ容易に飲み口を開閉できる蓋付きカップを提供することにある。
また、本発明の他の大切な目的は、何回も繰り返し飲み口を開閉しながら、コーヒー等の収納液を漏れないように閉じることができる蓋付きカップを提供することにある。
さらにまた、本発明の他の大切な目的は、蓋を薄くしながら断熱特性を向上でき、収納している熱いコーヒー等で蓋が加熱されるのを防止して、熱いコーヒー等を快適に飲むことができる蓋付きカップを提供することにある。
【課題を解決するための手段】
【０００７】
本発明の蓋付きカップは、前述の目的を達成するために以下の構成を備える。
蓋付きカップは、上端を開口している円形のカップ１と、このカップ１の開口部１Ａを閉塞する蓋２とを備える。カップ１は、開口部１Ａの周縁に沿って外側に突出する補強リング１Ｂを備え、このカップ１の補強リング１Ｂに脱着自在に蓋２を連結している。蓋２は、第１の蓋１０と第２の蓋２０の二層の積層構造としている。第１の蓋１０は、カップ１の収納液の飲み口１４を開口してなる円形の閉塞プレート部１１と、この閉塞プレート部１１の外周部に連結してなるリング状の脱着係止部１２と、閉塞プレート部１１と脱着係止部１２との間に設けた円筒内周壁１３とを有する。脱着係止部１２は、カップ１の補強リング１Ｂの外周面に沿う形状であって、開口端側の内径を補強リング１Ｂの最大外径よりも小さくしており、カップ１の補強リング１Ｂに脱着自在に連結している。第２の蓋２０は、第１の蓋１０の閉塞プレート部１１の外側に積層されて、閉塞プレート部１１の飲み口１４を開閉する開閉口２４を開口してなる円形の開閉プレート部２１と、この開閉プレート部２１の外周部に連結してなるリング状の回転係止部２２と、開閉プレート部２１と回転係止部２２との間に設けた円筒外周壁２３とを有する。回転係止部２２は、第１の蓋１０の脱着係止部１２の外周面に沿う形状であって、開口端側の内径を脱着係止部１２の最大外径よりも小さくして、第１の蓋１０の脱着係止部１２に回転自在に連結している。さらに、円筒外周壁２３は、第１の蓋１０の円筒内周壁１３の外側をカバーして二層構造の周壁としている。蓋付きカップは、第２の蓋２０を第１の蓋１０に対して回転して、第１の蓋１０の閉塞プレート部１１に設けている飲み口１４を第２の蓋２０の開閉プレート部２１で開閉する。
【０００８】
本発明の請求項２の蓋付きカップは、第１の蓋１０の円筒内周壁１３と第２の蓋２０の円筒外周壁２３との間に隙間３を設けている。
【０００９】
本発明の請求項３の蓋付きカップは、第１の蓋１０の円筒内周壁１３と第２の蓋２０の円筒外周壁２３とにラチェット凹凸を設けている。
【００１０】
本発明の請求項４の蓋付きカップは、第２の蓋２０の開閉プレート部２１に大きさが異なる複数の開閉口２４を設けている。
【発明の効果】
【００１１】
本発明の蓋付きカップは、カップから蓋を脱着することなく簡単かつ容易に飲み口を開閉できる特徴がある。それは、本発明の蓋付きカップが、第２の蓋を回転して飲み口を開閉できるからである。また、本発明の蓋付きカップは、何回も繰り返し飲み口を開閉しても、コーヒー等の収納液を漏れないように閉じることができる。この特徴は、本発明の蓋付きカップが、第２の蓋を回転して、飲み口を開閉する構造で実現される。とくに、本発明の蓋付きカップは、第１の蓋の外周にカップに連結されるリング状の脱着係止部を設けて、この脱着係止部をカップの補強リングの外周面に沿う形状であって、開口端側の内径を補強リングの最大外径よりも小さくして、カップの補強リングに脱着自在に連結しており、また、第２の蓋にも、その外周部に回転係止部を設けて、この回転係止部を第１の蓋の脱着係止部の外周面に沿う形状であって、開口端側の内径を脱着係止部の最大外径よりも小さくして、第１の蓋の脱着係止部に回転自在に連結していることから、第１の蓋と第２の蓋を簡単な形状として、たとえば、プラスチックシートを真空成形して安価に多量生産できる形状としながら、第２の蓋を回転して飲み口を開閉でき、また、閉じる状態では収納液であるコーヒー等を漏れないようにできる特徴が実現される。また、第１の蓋と第２の蓋をカップから簡単に外すこともできるので、蓋を外してカップから直接に飲むこともできる。
【００１２】
さらにまた、本発明の蓋付きカップは、蓋を薄いプラスチック等で成形して製造コストを低減しながら、蓋の断熱特性を向上して、熱いコーヒー等で蓋が加熱されるのを防止して、熱いコーヒー等を快適に飲むことができる特徴も実現する。それは、本発明の蓋付きカップが、第１の蓋を脱着係止部を介してカップの開口部に連結し、さらに、この第１の蓋に積層して、第２の蓋の回転係止部を脱着係止部に連結して、唇に接触する部分を２層構造として断熱特性を向上できるからである。断熱特性の優れた蓋は、内面が熱いコーヒー等に接触しても外側の表面温度が高くならない。このため、唇に蓋の表面を接触させても熱く感じることがなく、蓋を唇に接触させて熱いコーヒー等を快適に飲むことができる。
【００１３】
とくに、本発明の蓋付きカップは、第１の蓋には、閉塞プレート部と脱着係止部との間に円筒内周壁を設けて、第２の蓋には、開閉プレート部と回転係止部との間に、第１の蓋の円筒内周壁の外側をカバーする円筒外周壁を設けている。この構造によると、カップの開口部に二層構造の周壁ができ、この周壁を唇に接触させて、コーヒー等を飲むことができる。この周壁は、二層構造で断熱特性に優れることから、熱いコーヒー等を快適に飲むことができる。
【００１４】
また、本発明の請求項２の蓋付きカップは、請求項１の構成に加えて、第１の蓋の円筒内周壁と第２の蓋の円筒外周壁との間に隙間を設けているので、この隙間にできる空気層でもって周壁の断熱性を著しく向上できる。このため、この周壁を唇に接触させて熱いコーヒー等をより快適に飲むことができる。
【００１５】
また、本発明の請求項３の蓋付きカップは、請求項１の構成に加えて、第１の蓋の円筒内周壁と第２の蓋の円筒外周壁とにラチェット凹凸を設けているので、第２の蓋を回転させて飲み口を開位置とし、あるいは閉位置に停止できる。このため、飲み口を開位置に停止し、あるいは閉位置に停止して、便利に使用できる。また、凹凸のあるラチェット機構によって、周壁の間に空気層ができ、この空気層で周壁の断熱特性を向上できる特徴も実現する。
【００１６】
また、本発明の請求項４のカップは、請求項１の構成に加えて、第２の蓋の開閉プレート部に大きさが異なる複数の開閉口を設けているので、第２の蓋を回転して飲み口のを大きく、あるいは小さく開口できる。
【発明を実施するための最良の形態】
【００１７】
以下、本発明の実施例を図面に基づいて説明する。ただし、以下に示す実施例は、本発明の技術思想を具体化するための蓋付きカップを例示するものであって、本発明は蓋付きカップを以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図１ないし図７に示す蓋付きカップは、上端を開口している円形のカップ１の開口部１Ａを閉塞するように、カップ１の開口部１Ａに蓋２を連結している。
【００２０】
カップ１は紙製で、紙を円錐状に連結して底を閉塞している。紙製のカップ１は、表面に断熱塗料を塗布して断熱特性を向上している。さらに、カップ１は、開口部１Ａの周縁に沿って外側に突出する補強リング１Ｂを設けている。補強リング１Ｂは、紙を外側に円筒状に曲げて設けている。カップ１の補強リング１Ｂに、蓋２が脱着自在に連結される。補強リング１Ｂは、カップ１の開口部１Ａを円形に補強すると共に、蓋２を係止して脱着できるように連結する。
【００２１】
蓋２は、第１の蓋１０と第２の蓋２０の２層の積層構造としている。第１の蓋１０はカップ１に連結され、第２の蓋２０は第１の蓋１０の表面に積層されて、その外側に連結される。第２の蓋２０は、第１の蓋１０に重ねて脱着自在に連結されるものであって、特別な連結具を介して連結されない。第１の蓋１０は、カップ１に脱着自在に連結され、第２の蓋２０は、第１の蓋１０に脱着自在に連結される。さらに、第２の蓋２０を第１の蓋１０に積層する状態で、蓋２をカップ１に脱着することもできる。第１の蓋１０と第２の蓋２０は、プラスチックシートを真空成形して製造される。この蓋２は、安価に多量生産できる特徴がある。
【００２２】
第１の蓋１０は、カップ１の収納液の飲み口１４を開口してなる円形の閉塞プレート部１１と、この閉塞プレート部１１の外周部に連結してなるリング状の脱着係止部１２を有する。さらに、図４ないし図７に示す第１の蓋１０は、閉塞プレート部１１と脱着係止部１２との間に円筒内周壁１３を設けている。
【００２３】
閉塞プレート部１１は円板状で、外周縁に沿って上方に突出する凸条１５を設けて、凸条１５の内側を平面状に成形している。さらに、図の閉塞プレート部１１は、飲み口１４を開口している。飲み口１４は、中心から凸条１５の内側に伸びる扇形に開口している。この飲み口１４は、第２の蓋２０の開閉プレート部２１に設けている最も大きい開閉口２４と同じ大きさとしている。
【００２４】
円筒内周壁１３は、上窄みテーパー状の円錐状に成形している。さらに、図４と図８の円筒内周壁１３は、第２の蓋２０を回転位置で停止させるラチェット構造とするために、外周面に凹凸１６を設けている。図の円筒内周壁１３は、上下方向に伸びる縦溝１６Ａと凸条１６Ｂを所定のピッチで交互に設けている。円筒内周壁１３は、その外径を脱着係止部１２の外径よりも小さくして、脱着係止部１２を円筒内周壁１３から外側に突出させている。
【００２５】
脱着係止部１２は、カップ１の補強リング１Ｂの外周面に沿う形状であって、開口端側の内径を補強リング１Ｂの最大外径よりも小さくして、カップ１の補強リング１Ｂに脱着自在に連結している。さらに、図５ないし図７の断面図に示す脱着係止部１２は、開口端縁を内径が大きくなるように外側に湾曲するガイド部１７を設けている。この脱着係止部１２は、ガイド部１７の内側にカップ１の補強リング１Ｂを案内して、カップ１にスムーズに連結できる特徴がある。脱着係止部１２は、カップ１の補強リング１Ｂの外側に密着して連結される。したがって、脱着係止部１２は、その内形を補強リング１Ｂの外形にほぼ等しく成形している。脱着係止部１２は、弾性変形してその内側に補強リング１Ｂを案内する。
【００２６】
第２の蓋２０は、第１の蓋１０の閉塞プレート部１１の外側に積層されて閉塞プレート部１１の飲み口１４を開閉する開閉口２４を開口してなる円形の開閉プレート部２１と、この開閉プレート部２１の外周部に連結してなるリング状の回転係止部２２を有する。さらに、図１ないし図７の第２の蓋２０は、開閉プレート部２１と回転係止部２２との間に、第１の蓋１０の円筒内周壁１３の外側をカバーする円筒外周壁２３を設けている。
【００２７】
開閉プレート部２１は円板状で、閉塞プレート部１１の上面に積層できるように、その外周縁に沿って上方に突出する凸条２５を設けて、凸条２５の内側を平面状に成形している。さらに、開閉プレート部２１には、開閉プレート部２１を回転して飲み口１４を開閉する開閉口２４を開口している。図１ないし図４の開閉プレート部２１は、大きさが異なる複数の開閉口２４を円周方向に離して設けている。大きな開閉口２４Ａは、中心部から凸条２５の内側まで伸びる扇形としている。小さい開閉口２４Ｂは、円周方向の横幅と半径方向の縦幅を大きな開閉口２４Ａよりも小さくしている。この開閉プレート部２１は、閉塞プレート部１１に対して相対的に回転されて、図２と図６に示すように、大きい開閉口２４Ａで飲み口１４を開口し、あるいは、図３と図７に示すように、小さい開閉口２４Ｂで飲み口１４を開口し、あるいはまた、図１と図５に示すように、開閉口２４を開口していない部分で飲み口１４を閉塞する。開閉プレート部２１に大きさが異なる複数の開閉口２４を設ける構造は、第２の蓋２０を回転して、飲み口１４を大きく、又は小さく開口できる特徴がある。図の開閉プレート部２１は、大きな開閉口２４Ａと小さい開閉口２４Ｂからなるふたつの開閉口２４を設けているが、開閉プレート部には大きさが異なる３つ以上の開閉口を設けることもできる。
【００２８】
円筒外周壁２３は、第１の蓋１０の円筒内周壁１３の外側をカバーする形状であって、上窄みテーパー状の円錐状に成形している。さらに、図５ないし図８の円筒外周壁２３は、その内径を円筒内周壁１３の外径よりも大きくして、円筒外周壁２３と円筒内周壁１３との間に隙間２８を設けている。この蓋２は、円筒外周壁２３と円筒内周壁１３の間の隙間２８にできる空気層でもって周壁の断熱性を著しく向上できる。さらに、図４と図８の円筒外周壁２３は、第２の蓋２０を第１の蓋１０に対して回転位置で停止させるラチェット構造とするために、円筒内周壁１３の外周面に設けた凹凸１６の縦溝１６Ａに挿入される位置決凸部２６を内周面に設けている。図の位置決凸部２６は、縦溝１６Ａに嵌合する凸条としており、円筒外周壁２３の内面から内側に突出して設けている。図８の円筒外周壁２３は、４つの位置決凸部２６を、内周面に等間隔で設けている。ただ、位置決凸部は、３個以下とすることも、５個以上とすることもできる。さらに、図の円筒外周壁２３は、その外径を脱着係止部１２の外径よりも小さくして、脱着係止部１２を円筒内周壁１３から外側に突出させている。
【００２９】
回転係止部２２は、第１の蓋１０の脱着係止部１２の外周面に沿う形状であって、開口端側の内径を脱着係止部１２の最大外径よりも小さくして、第１の蓋１０の脱着係止部１２に回転自在に連結している。さらに、図５ないし図７の断面図に示す回転係止部２２は、第１の蓋１０の脱着係止部１２の外側に積層できるように、開口端縁を内径が大きくなるように外側に湾曲するガイド部２７を設けている。この回転係止部２２は、ガイド部２７の内側に脱着係止部１２を案内して、第１の蓋１０にスムーズに連結できる特徴がある。回転係止部２２は、第１の蓋１０の脱着係止部１２の外側に密着して連結される。したがって、回転係止部２２はその内形を脱着係止部１２の外形にほぼ等しく成形している。回転係止部２２は、弾性変形してその内側に脱着係止部１２を案内する。
【００３０】
以上の蓋付きカップは、第１の蓋１０を開口部１Ａに連結し、さらに第１の蓋１０の外側に第２の蓋２０を連結して、蓋２で開口部１Ａを開閉できるように閉塞する。カップ１に収納するコーヒー等を飲むときには、図２または図３に示すように、第２の蓋２０を第１の蓋１０に対して回転して、第１の蓋１０の閉塞プレート部１１に設けている飲み口１４を第２の蓋２０の開閉プレート部２１の開閉口２４で開く。カップ１の開口部１Ａを閉塞するには、図１に示すように、第２の蓋２０を開閉して、開閉プレート部２１で閉塞プレート部１１の飲み口１４を閉塞する。
【００３１】
以上の実施例では、第１の蓋１０の閉塞プレート部１１に１つの飲み口１４を開口し、第２の蓋２０の開閉プレート部２１に大きさの異なる２つの開閉口２４を開口しているが、本発明では、第１の蓋の閉塞プレート部に大きさの異なる複数の飲み口を開口して、第２の蓋の開閉プレート部に１つの開閉口を開口することもできる。この蓋付きカップは、第１の蓋に対して第２の蓋を相対的に回転させて、開閉プレート部の開閉口で閉塞プレート部の大きな飲み口を開口し、あるいは小さい飲み口を開口し、あるいはまた、開閉プレート部の開閉口を開口していない部分で飲み口を閉塞する。
【００３２】
さらに、以上の実施例では、第１の蓋１０の円筒内周壁１３と第２の蓋２０の円筒外周壁２３とにラチェット凹凸を設けるために、第１の蓋１０の円筒内周壁１３の外周面に凹凸１６を設けて、第２の蓋２０の円筒外周壁２３の内周面に、円筒内周壁１３の凹凸１６の縦溝１６Ａに挿入される位置決凸部２６を設けている。ただ、本発明の蓋付きカップは、第１の蓋の円筒内周壁の外周面に位置決凸部を設けると共に、第２の蓋の円筒外周壁の内周面に、位置決凸部が挿入される凹凸を設けて、ラチェット凹凸を設けることもできる。
【図面の簡単な説明】
【００３３】
【図１】本発明の一実施例にかかる蓋付きカップの斜視図である。
【図２】図１に示す蓋付きカップの飲み口を大きく開口する状態を示す斜視図である。
【図３】図１に示す蓋付きカップの飲み口を小さく開口する状態を示す斜視図である。
【図４】図２に示す蓋付きカップの分解斜視図である。
【図５】図１に示す蓋付きカップのＡ−Ａ線断面図である。
【図６】図２に示す蓋付きカップのＢ−Ｂ線断面図である。
【図７】図３に示す蓋付きカップのＣ−Ｃ線断面図である。
【図８】図５に示す蓋付きカップのＤ−Ｄ線端面図である。
【符号の説明】
【００３４】
１…カップ            １Ａ…開口部
１Ｂ…補強リング
２…蓋
３…隙間
１０…第１の蓋
１１…閉塞プレート部
１２…脱着係止部
１３…円筒内周壁
１４…飲み口
１５…凸条
１６…凹凸            １６Ａ…縦溝
１６Ｂ…凸条
１７…ガイド部
２０…第２の蓋
２１…開閉プレート部
２２…回転係止部
２３…円筒外周壁
２４…開閉口          ２４Ａ…大きな開閉口
２４Ｂ…小さい開閉口
２５…凸条
２６…位置決凸部
２７…ガイド部
【図１】
2008222269.tif 000003
【図２】
2008222269.tif 000004
【図３】
2008222269.tif 000005
【図４】
2008222269.tif 000006
【図５】
2008222269.tif 000007
【図６】
2008222269.tif 000008
【図７】
2008222269.tif 000009
【図８】
2008222269.tif 000010